(57)【要約】  本発明のシガレットパッケージは、薄形の外側ケース（１０）と、外側ケース（１０）内に引き出し可能に収納された内側トレイ（１４）と含み、内側トレイ（１４）は、内側トレイ（１４）を外側ケース（１０）から引き出すための摘みとして機能するヘッド（１６）と、複数のフィルタシガレット（Ｆ）を内側トレイ（１４）の引出し方向に沿って保持する複数の溝（２２）とを有する。
2009090918.tif 000002
【特許請求の範囲】
【請求項１】
薄形の直方体形状をなす外側ケースであって、一端に開口を有する、外側ケースと、
前記外側ケース内に前記開口を通じて引き出し可能に収容され、収容位置及び引き出し位置を有する矩形の内側トレイとを備え、
前記内側トレイは更に、
その一端に形成され、前記収容位置にあるときには前記開口から突出し且つ前記内側トレイを引き出すための摘みとして機能するヘッドと、
前記収容位置にあるとき、前記外側ケース内に位置付けられるトレイ面と、
前記トレイ面に形成され、棒形状のシガレット製品を保持する複数の保持座と
を有する、シガレットパッケージ。
【請求項２】
前記保持座は、前記シガレット製品を前記内側トレイの引き出し方向に沿って保持可能であり、前記内側トレイの幅方向に並んで配置されている、請求項１のシガレットパッケージ。
【請求項３】
前記保持座は、前記シガレット製品を個々に受け入れ可能な溝である、請求項２のシガレットパッケージ。
【請求項４】
前記外側ケースの前記開口は、波形形状をなした前縁を有し、
前記内側トレイの前記ヘッドは、前記前縁の波形形状と同様な波形形状の天井面を有する、請求項２のシガレットパッケージ。
【請求項５】
前記内側トレイは、前記トレイ面上の前記シガレット製品を前記前縁の波形形状に沿って波打つように配列させる配列手段を更に含む、請求項４のシガレットパッケージ。
【請求項６】
前記配列手段は、前記内側トレイの他端に形成されたテールを更に含み、このテールは前記ヘッドの前記天井面に対向し且つ前記天井面と同様な波形形状をなす底面を有し、前記トレイ上の前記フィルタシガレットは前記天井面と前記底面との間に挟み込まれている、請求項５のシガレットパッケージ。
【請求項７】
前記天井面は円滑な波形形状を有し、
前記底面は、複数の段から形成された波形形状を有する、請求項６のシガレットパッケージ。
【請求項８】
前記内側レイは合成樹脂から形成され、前記保持座と前記ヘッドとの間の前記トレイ面に弾性変形可能な領域を更に含み、この領域はその弾性変形により前記ヘッドの押し下げを許容する、請求項６のシガレットパッケージ。
【請求項９】
前記内側トレイは前記引き出し位置を決定するストッパを更に含む、請求項２のシガレットパッケージ。
【発明の詳細な説明】
【技術分野】
【０００１】
本発明は、フィルタシガレットやシガレット等の棒形状のシガレット製品を収納するためのシガレットパッケージに関する。
【背景技術】
【０００２】
この種のシガレットパッケージにはヒンジリッド型パッケージが多用されている。このヒンジリッド型パッケージは開閉可能なヒンジリッドを有する。ヒンジリッドが開かれたとき、消費者はパッケージ内からシガレット製品を取り出すことができる（例えば、特許文献１）。
【特許文献１】特開平5-213340号公報
【発明の開示】
【発明が解決しようとする課題】
【０００３】
上述のヒンジリッド型パッケージは長年に亘って使用されている。それ故、消費者はパッケージの形態に倦怠感を抱いている。このため、消費者の購買意欲を増進させる一方、省資源化にも好適した新規な形態のシガレットパッケージの開発が望まれている。【０００４】
本発明の目的は、消費者の購買意欲を高め、且つ、シガレット製品の詰め替えをなすことで、パッケージの再使用が可能となる新規な形態のシガレットパッケージを提供することにある。
【課題を解決するための手段】
【０００５】
上記の目的を達成するため、本発明のシガレットパッケージは、薄形の直方体形状をなす外側ケースであって、一端に開口を有する、外側ケースと、この外側ケース内に開口を通じて引き出し可能に収容され、収容位置及び引き出し位置を有する矩形の内側トレイとを備える。内側トレイは更に、その一端に形成され、収容位置にあるときには開口から突出し且つ内側トレイを引き出すための摘みとして機能するヘッドと、収容位置にあるとき、外側ケース内に位置付けられるトレイ面と、トレイ面に形成され、棒形状のシガレット製品を保持する複数の保持座とを有する。【０００６】
上述のシガレットパッケージによれば、消費者は内側トレイのヘッドを指で挟み付け、外側ケースから内側トレイを引き出すことができる。このような内側トレイの引き出しは、内側トレイのトレイ面、即ち、シガレット製品を外側ケースから露出させ、内側トレイの保持座からシガレット製品の取り出しを可能にする。【０００７】
内側トレイ上の全てのシガレット製品が取り出された後、消費者は内側トレイの保持座に新たなシガレット製品を補給し、シガレットパッケージを再使用することができる。【０００８】
好ましくは、保持座は、シガレット製品を内側トレイの引き出し方向に沿って保持可能であり、内側トレイの幅方向に並んで配置されている。具体的には、保持座は、シガレット製品を個々に受け入れ可能な溝である。【０００９】
上述した保持座、即ち、溝は、シガレット製品を個々に保持しているので、内側トレイからシガレット製品が取り出されても、内側トレイ上に残るシガレット製品の配列が乱れることはない。【００１０】
好ましくは、外側ケースの前記開口は、波形形状をなした前縁を有し、内側トレイのヘッドは、前縁の波形形状と同様な波形形状の天井面を有する。この場合、内側トレイは、トレイ面上のシガレット製品を前縁の波形形状に沿って波打つように配列させる配列手段を更に含むことができる。【００１１】
このようなシガレットパッケージによれば、外側ケースから内側トレイが引き出されたとき、外側ケースにおける開口の前縁の波形形状に加えて、ヘッドにおける天井面の波形形状や、内側トレイ上におけるシガレット製品の配列、即ち、ウエーブ配列が外側ケースから露出し、これらの波形形状及びウエーブ配列は、美観的に優れたシガレットパッケージの開形態を提供する。それ故、消費者は本発明のシガレットパッケージの開形態に感銘を受け、シガレットパッケージに対する消費者の購買意欲を増進させることができる。【００１２】
具体的には、配列手段は、内側トレイの他端に形成されたテールを更に含み、このテールはヘッドの天井面に対向し且つ天井面と同様な波形形状をなす底面を有し、トレイ上のフィルタシガレットは天井面と底面との間に挟み込まれている。好ましくは、天井面は円滑な波形形状を有し、記底面は数の段から形成された波形形状を有する。【００１３】
内側レイは合成樹脂から形成され、保持座とヘッドとの間のトレイ面に弾性変形可能な領域を更に含んでいる。この領域はその弾性変形によりヘッドの押し下げを許容する。このようなヘッドの押し下げは、シガレット製品が内側レイの天井面と底面との間に挟み込まれていても、ヘッドの存在に拘わりなく、内側トレイからのシガレット製品の取り出しを容易にする。【００１４】
更に、内側トレイはその引き出し位置を決定するストッパを更に含むことができる。このようなストッパは、外側ケースからの内側トレイの抜け出しを阻止する。
【発明の効果】
【００１５】
本発明のシガレットパッケージは、通常のヒンジリッド形パッケージの開形態とは大きく異なる開形態を提供することから、消費者の購買意欲を増進させる。また、本発明のシガレットパッケージは再使用が可能であり、省資源化にも大きく寄与する。
【図面の簡単な説明】
【００１６】
【図１】一実施例のシガレットパッケージを閉状態で示す斜視図である。
【図２】図１のシガレットパッケージの開状態で示す斜視図である。
【図３】図２の内側レイの平面図である。
【図４】図３の内側トレイの側面図である。
【図５】内側トレイのヘッドを示した断面図である。
【図６】内側トレイのテールを示した断面図である。
【図７】内側トレイの溝を示した断面図である。
【図８】内側トレイのヘッドが下方に押し下げられた状態を示す図である。
【図９】図１，２の外側ケースを形成するためのブランクを示した図である。
【符号の説明】
【００１７】
１０            外側ケース
１２            開口
１２ａ          前縁
１４            内側トレイ
１４ａ          トレイ面
１５            領域
１６            ヘッド
１８            天井面
１９            テール
２０            底面
２２            溝（保持座）
２６            フラップ
４８            フラップ
【発明を実施するための最良の形態】
【００１８】
図１及び図２は一実施例のシガレットパッケージを示す。
シガレットパッケージは外側ケース１０を備え、この外側ケース１０は紙又は合成樹脂からなる。外側ケース１０は薄い直方体形状をなし、その長手方向に互いに離れた一端及び他端を有する。外側ケース１０の一端は開口１２として形成され、外側ケース１０の他端は左右にラウンドコーナ（丸みが付けられた隅）をそれぞれ有する。【００１９】
具体的には、開口１２は前縁１２ａ、左右の側縁及び後縁によって規定されており、前縁１２ａは円滑な波形形状、即ち、正弦曲線に近似した形状をなし、山部及び谷部を１つずつ有する。【００２０】
外側ケース１０内には矩形の内側トレイ１４が引き出し可能に収納されている。図１に示されているように内側トレイ１４が収容されても、内側トレイ１４はその一端に外側ケース１０の開口１２から突出したヘッド１６を有する。このヘッド１６は外側ケース１０の開口１２を閉じる蓋及び外側ケース１０から内側トレイ１４を引き出すための摘みとして機能する。【００２１】
図２から明らかなように、内側トレイ１４上には例えば１０本のフィルタシガレット（シガレット製品）Ｆが載置されている。個々のフィルタシガレットＦは、吸口端Ｆa及びチップペーパとシガレットとの間の境界Ｆbをそれぞれ有する。なお、チップペーパはシガレット及びフィルタプラグを互いに接続する接続要素である。【００２２】
内側トレイ１４上のフィルタシガレットＦは、内側トレイ１４の幅方向に並び、且つ、前述した前縁１２ａの波形形状に沿って波打つように配置されている。即ち、内側トレイ１４上のフィルタシガレットＦの吸口端Ｆa及び境界Ｆbは、前縁１２ａの波形形状に沿う波形曲線上に位置付けられている。【００２３】
上述したフィルタシガレットＦの配列を実現するために、内側トレイ１４はその他端に、ヘッド１６と協働してフィルタシガレットを挟み込むテール１９（図３参照）を有する。より詳しくは、ヘッド１６は外側ケース１０内に面した天井面１８を有しており、この天井面１８は、前縁１２ａと同様な波形形状をなしている。それ故、図１に示されるように外側ケース１０内に内側トレイ１４が収容されたとき、ヘッド１６はその天井面１８が外側ケース１０内に位置した状態で、外側ケース１０の開口１２から突出する。【００２４】
図３に示されるように、内側トレイ１４のテール１９は、天井面１８に対向した底面２０を有し、この底面２０は、前縁１２ａ及び天井面１９の波形形状に類似した波形形状をなしている。具体的には、底面２０は、前縁１２ａ及び天井面１８とは異なり円滑ではなく、多数の段を有し、これら段が波形形状を形作るように配置されている。【００２５】
更に、内側トレイ１４は、ヘッド１６とテール１９との間にフィルタシガレットＦのためのトレイ面１４ａを有し、トレイ面１４ａは１０個の溝２２によって形成されている。これら溝２２は底面２０から天井面１８に向けて、内側トレイ１４の長手方向、即ち、外側ケース１０からの内側トレイ１４の引き出し方向に沿って延びている。【００２６】
より詳しくは、図３から明らかなように、溝２２は内側トレイ１４の幅方向に互いに隣接し、フィルタシガレットＦを個々に受け入れる保持座を形成する。各溝２２の長さは、フィルタシガレットＦの長さよりも短く、トレイ面１４ａは溝２２と天井面１８との間に平坦な領域１５を有する。【００２７】
上述した内側トレイ１４は合成樹脂材料を型成形することにより得られる。より詳しくは、内側トレイ１４はその両端に中空の膨出部１６ａ，１９ａをそれぞれ有し、これら膨出部１６ａ，１９ａは内側トレイ１４の下面にて開口している。膨出部１６ａは前述したヘッド１６を形成し、膨出部１９ａは前述したテール１９を形成する。これら膨出部１６ａ，１９ａはシート部２１を介して互いに接続されており、このシート部２１はその上面に前述した溝２２を有する。【００２８】
図４に示されるように、膨出部１６ａは天井面１８を形成する内端壁と、この内端壁に沿う外側端壁１７を有する。この外側端壁１７の下縁からはフラップ２４が一体的に延びている。このフラップ２４はシート部２１に向けて折り曲げられ、図５から明らかなようにシート部２１の下面に重ね合わされている。これらシート部２１及びフラップ２４は互いに接着され、膨出部１６ａの開口を覆っている。フラップ２４は中空の膨出部１６ａ、即ち、ヘッド１６の剛性を高めるための補強部材として機能する。【００２９】
一方、図６から明らかなように膨出部１９ｂもまた、底面２０を形成する内端壁と、この内端壁に沿う外端壁２３を有する。この端壁２３の下縁からはフラップ２６が一体的に延びている。このフラップ２６もまた、フラップ２４と同様にシート部２１に向けて折り曲げられている。フラップ２６はフラップ２４とは異なり、シート部２１に接着されていない。それ故、フラップ２６が自由状態にあるとき、フラップ２６はシート部２１の下面から離れている。しかしながら、外側ケース１０内に内側トレイ１４が収容されたとき、フラップ２６はその弾性変形を伴い、外側ケース１０の内面と内側トレイ１４の下面との間に挟み込まれ、この際、膨出部１９ｂの開口はフラップ２６により覆われる。【００３０】
更に、図７に示されるように、溝２２は平坦な底２２ａと、左右の側壁２２ｂとから形成され、これら側壁２２ｂは互いに逆向きに傾斜している。このような溝２２の配列は、シート部２１の剛性を高める。しかしながら、シート部２１の平坦な領域１５には溝２２が存在していないので、領域１５は弾性変形可能である。それ故、図８に示されるように領域１５はその弾性変形により、内側トレイ１４のトレイ面１４ａに対して交差する方向に反り返ることができ、これにより、ヘッド１６は図８でみて下方に押し下げ可能である。【００３１】
図９は、前述した外側ケース１０を形成するためのブランクを示す。
このブランクは、リアパネル２８、サイドパネル３０及びフロントパネル３２を有し、リアパネル２８及びフロントパネル３２はサイドパネル３０の両側にそれぞれ折込み線を介して接続されている。リアパネル２８，サイドパネル３９及びフロントパネル３２は外側ケース１０の後壁、一方の側壁及び前壁をそれぞれ形成する。【００３２】
図９でみて、フロントパネル３２の上縁は波形形状を有し、外側ケース１０の前縁１２ａを形成する。また、フロントパネル３２の下縁、リアパネル２８の上縁及び下縁はその両端がそれぞれ円弧形状に形成されている。【００３３】
リアパネル２８及びフロントパネル３２の外側縁には、インナサイドフラップ３４及びアウタサイドフラップ３６がそれぞれ折込み線を介して接続されている。これらサイドフラップ３４，３６は、外側ケース１０の他方の側壁を形成する。また、図９でみて、リアパネル２８及びフロントパネル３２の下縁にはインナボトムフラップ４０及びアウタボトムフラップ４２がそれぞれ折込み線を介して接続され、これらボトムフラップ４０，４２は外側ケース１０の底壁を形成する。サイドパネル３０及びアウタサイドフラップ３６の下縁からはストリップ４４，４６がそれぞれ延びており、これらストリップ４４，４６は外側ケース１０における底壁の両端を前述したラウンドコーナに形成する。更に、リアパネル２８の上縁には折込み線を介してフラップ４８が接続されている。なお、図９中、前述した折込み線は１点鎖線で示されている。【００３４】
次に、前述したブランクの折込み手順について説明する。
先ず、フラップ４８は、このフラップ４８とリアパネル２８との間の折込み線に沿い、リアパネル２８に向けて折り込まれ、リアパネル２８に重ね合わされる。この後、リアパネル２８上に前述した内側トレイ１４がフラップ４８を介して載置される。この際、内側トレイ１４はその溝２２にフィルタシガレットＦをそれぞれ保持している。【００３５】
このようにしてリアパネル２８上に内側トレイ１４が載置されたとき、内側トレイ１４のフラップ２６とフラップ４８は互いに所定の間隔を存して位置付けられる（図９中の２点鎖線参照）。【００３６】
この後、リアパネル２８及びフラップ４８以外のパネル及びフラップの折込み、また、対応するサイドフラップ同士の接着が実施され、内側トレイ１４の外側に内側トレイ１４を囲む外側ケース１０が形成される。この時点で、図１に示されるシガレットパッケージが得られる。【００３７】
消費者は内側トレイ１４のヘッド１６を指間で挟み、外側ケース１０から内側トレイ１４を引き出すことができる。この際、内側トレイ１４のフラップ２６はフラップ４８と外側ケース１０の後壁（リアパネル２８）との間に侵入し、フラップ２６の先端がフラップ４８とリアパネル２８の間の折込み線に到達したとき、内側トレイ１４の引き出しは停止される。即ち、フラップ２６，４８は互いに協働してストッパを形成し、このストッパは内側トレイ１４の最大引き出し長さを決定する。【００３８】
上述したシガレットパッケージによれば、外側ケース１０から内側トレイ１４が引き出されたとき、内側トレイ１４からのフィルタシガレットＦの取り出しが可能となる。このようなフィルタシガレットＦの取り出し方は、通常のヒンジリッド型パッケージでのフィルタシガレットの取り出し方とは大きく相違する。それ故、本実施例のシガレットパッケージは新規且つ独特なパッケージ形態を提供し、消費者の購買意欲を増加させる。【００３９】
また、内側トレイ１４上の個々のフィルタシガレットＦは溝２２内に保持されている。それ故、内側トレイ１４からフィルタシガレットＦが取り出されても、内側トレイ１４上に残っているフィルタシガレットＦの配列に乱れが生じることもない。【００４０】
更に、内側トレイ１４上の全てのフィルタシガレットＦが取り出された後、消費者は内側トレイ１４の各溝内に新たなフィルタシガレットを補給し、シガレットパッケージを再使用することができる。それ故、本発明のシガレットパッケージは使い捨てにならず、省資源化に大きく貢献する。【００４１】
外側ケース１０における開口１２の前縁１２ａ及び内側トレイ１４の天井面１８はそれぞれ波形形状をなす一方、内側トレイ１４上のフィルタシガレットＦもまた前縁１２ａ及び天井面１８に沿って波打つように並ぶウエーブ（波）配列となっている。それ故、消費者が外側ケース１０から内側トレイ１４を引き出したとき、消費者のみならす周囲の人々は、前縁１２ａ及び天井壁１８の波形形状と、この波形形状と同様なフィルタシガレットＦのウエーブ配列に大きな感銘を受ける。このような波形形状及びウエーブ配列は、本発明のシガレットパッケージに対する消費者の購買意欲を増進させるうえで大きく役立つ。【００４２】
内側レイ１４における底面２０の波形形状は円滑ではなく、階段状をなしている。それ故、フィルタシガレットＦにおけるシガレットの端面は底面２０に良好に密着することができ、端面の変形や、端面からの刻みたばこの脱落が良好に阻止される。この点、内側トレイ１４の天井面１８に接触するフィルタシガレットＦの吸口端、即ち、フィルタの端面はシガレットの端面に比べて機械的な強度が高い。それ故、吸口端が天井面１８に接触しても、吸口端が変形されることはない。【００４３】
前述したように内側トレイ１４のヘッド１６は、図８に示されているように領域１５の弾性変形を伴い、下方に押し下げ可能である。それ故、内側トレイ１４上のフィルタシガレットＦが天井面１８と底面２０との間に挟み込まれていても、消費者はヘッド１６を下方に押し下げることで、内側トレイ１４上からフィルタシガレットＦを容易に取り出すことができる。【００４４】
内側トレイ１４の引き出しは制限されているので、外側ケース１０から内側トレイ１４が完全に引き出されることはなく、内側トレイ１４からのフィルタシガレットＦの脱落を確実に阻止することができる。【００４５】
本発明は、上述した一実施例に制約されるものではない。例えば内側トレイ１４の底面は、天井面１８と同様に円滑な波形形状を有していてもよい。また、外側ケース１０における開口の前縁１２ａ及び内側トレイ１４の天井面１８は正弦曲線以外の波形形状や他の形状を有することができる。
【図１】
2009090918.tif 000003
【図２】
2009090918.tif 000004
【図３】
2009090918.tif 000005
【図４】
2009090918.tif 000006
【図５】
2009090918.tif 000007
【図６】
2009090918.tif 000008
【図７】
2009090918.tif 000009
【図８】
2009090918.tif 000010
【図９】
2009090918.tif 000011
【国際調査報告】
2009090918.tif 000012
2009090918.tif 000013
2009090918.tif 000014
2009090918.tif 000015